(57)【要約】【課題】燃料容器の方向によらずに燃料容器内に封入される発電用燃料を安定して供給する。【解決手段】燃料容器９０ａは、その長手方向と携帯機器ＤＶＣの上下方向とが平行になるように、且つ燃料容器９０ａ内に封入される発電用燃料ＦＬを電源システム８０に供給するための燃料供給口９２ａが携帯機器ＤＶＣの底面側に配置されるように、携帯機器ＤＶＣに装着される。この燃料容器９０ａは略直方体形状であり、正面Ａに対向する背面Ｃがその上端から下端側に向けて傾斜して形成されている。また、燃料供給口９２ａは、燃料容器９０ａの背面Ｃと底面Ｄとが接する辺の中央部分に設けられている。さらに、燃料容器９０ａの底面が、燃料供給口９２ａに向けて下向きに傾斜する傾斜面Ｅを有するように形成されている。【選択図】　図３
2004095190.tif 000002
【特許請求の範囲】
【請求項１】
燃料電池に用いられる発電用燃料が封入された柱状体の発電用燃料容器であって、
該発電用燃料容器の長手方向の一端部と、燃料供給口を備える他端部を有し、
前記他端部の断面積が前記一端部の断面積より大きいことを特徴とする発電用燃料容器。
【請求項２】
前記発電用燃料容器の前記他端部側は、
前記燃料供給口に向けて傾斜した傾斜面と、前記燃料供給口が形成された底面と、を有して形成されていることを特徴とする請求項１に記載の発電用燃料容器。
【請求項３】
前記発電用燃料容器は略角柱形状であって、
前記発電用燃料容器の長手方向の側面の内、少なくとも一つの側面は、前記一端部から前記他端部に向けて傾斜していることを特徴とする請求項１又は２に記載の発電用燃料容器。
【請求項４】
前記燃料供給口は、前記傾斜した側面の一つと前記他端部の前記底面とが接する部分に設けられていることを特徴とする請求項３に記載の発電用燃料容器。
【請求項５】
前記他端部に含浸剤を配置したことを特徴とする請求項１〜４の何れかに記載の発電用燃料容器。
【請求項６】
発電用燃料が封入され、柱状形状であって、該発電用燃料容器の長手方向の一端部と、燃料供給口を備える他端部を有し、前記他端部の断面積が前記一端部の断面積より大きい発電用燃料容器と、該発電用燃料容器を装着する装着部と、該発電用燃料容器から供給される前記発電用燃料を用いて発電する燃料電池システムと、を備え、該燃料電池システムにより発電した電力によって駆動する携帯機器であって、
前記装着部は、前記発電用燃料容器の一端部が前記携帯機器の上方に、前記発電用燃料容器の他端部が前記携帯機器の下方になるように前記発電用燃料容器を保持することを特徴とする携帯機器。
【請求項７】
前記発電用燃料容器の前記他端部側は、
前記燃料供給口に向けて傾斜した傾斜面と、前記燃料供給口が形成された底面と、を有して形成されていることを特徴とする請求項６に記載の携帯機器。
【請求項８】
前記発電用燃料容器は略角柱形状であって、
前記発電用燃料容器の長手方向の側面の内、少なくとも一つの側面は、前記一端部から前記他端部に向けて傾斜していることを特徴とする請求項６又は７に記載の携帯機器。
【発明の詳細な説明】
【０００１】
【発明の属する技術分野】
本発明は、発電用燃料を用いて発電する燃料電池の発電用燃料容器及び当該発電用燃料容器を装着した携帯機器に関する。
【０００２】
【従来の技術】
従来、民生用や産業用のあらゆる分野において、様々な化学電池が使用されている。例えば、アルカリ乾電池やマンガン乾電池等の一次電池は、時計やカメラ、玩具、携帯型の音響機器等に多用されており、我が国に限らず、世界的な観点からも最も生産量が多く、安価且つ入手が容易という特徴を有している。
【０００３】
一方、ニッケル・カドミウム蓄電池やニッケル・水素蓄電池、リチウムイオン電池等の二次電池は、近年普及が著しい携帯電話機や携帯情報端末（ＰＤＡ）、デジタルビデオカメラやデジタルスチルカメラ等の携帯機器に多用されており、繰り返し充放電ができることから経済性に優れた特徴を有している。また、二次電池のうち、鉛蓄電池は、車両や船舶の起動用電源、或いは、産業設備や医療設備における非常用電源等として利用されている。
【０００４】
ところで、近年、環境問題やエネルギー問題への関心の高まりに従い、上述したような化学電池の使用後に生じる廃棄物に関する問題やエネルギー変換効率の問題がクローズアップされている。
【０００５】
特に、一次電池においては、上述したように、製品価格が安価で入手が容易な上、電源として利用する機器も多く、しかも、基本的に一度放電されると電池容量を回復することができない、一回限りの利用（いわゆる、使い捨て）しかできないため、年間の廃棄量が数百万トンに上っている。ここで、化学電池全体では、リサイクルにより回収される比率は、概ね２０％程度に過ぎず、残りの８０％程度が自然界に投棄、又は、埋め立て処理されている、とする統計資料もあり、このような未回収の電池に含まれる水銀やインジウム等の重金属による環境破壊や、自然環境の悪化が懸念されている。
【０００６】
また、エネルギー資源の利用効率の観点から上記化学電池を検証すると、一次電池においては、放電可能エネルギーの概ね３００倍のエネルギーを使用して生産されているため、エネルギー利用効率が１％にも満たない。これに対して、繰り返し充放電が可能で経済性に優れた二次電池であっても、家庭用電源（コンセント）等から充電を行う場合、発電所における発電効率や送電線損失等により、エネルギー利用効率が概ね１２％程度にまで低下してしまうため、必ずしもエネルギー資源の有効利用が図られているとは限らなかった。
【０００７】
そこで、近年、環境への影響（負担）が少なく、且つ、例えば、３０〜４０％程度の極めて高いエネルギー利用効率を実現することができる燃料電池をはじめとする各種の新たな電源システムや発電システム（以下、「電源システム」と総称する）が注目され、車両用の駆動電源や事業用の電源システム、家庭用のコジェネレーションシステム等への適用を目的として、或いは、上述したような化学電池の代替えを目的として、実用化のための研究、開発が行われている。
【０００８】
特に、燃料電池等のエネルギー利用効率が高い電源システムを小型軽量化して可搬型又は携帯型のポータブル電源に適用し、上述した化学電池の代替え（互換品）として実用化するための研究、開発が盛んに行われている。
【０００９】
【発明が解決しようとする課題】
ところで、従来の比較的大型の電源システムは、据え置き型等、当該電源システムを搭載した機器の設置方向が略固定されるため、燃料容器内の発電用燃料を電源システムに供給するための燃料供給口から発電用燃料を比較的簡単に供給することができる。
【００１０】
しかしながら、上述した電源システムを携帯型のポータブル電源に適用し、例えば、ＰＤＡ等の携帯機器に搭載する場合には、以下のような問題があった。即ち、携帯機器は、その設置方向等の設置状態が固定されて使用されるとは限らないため、携帯機器内に搭載される燃料容器の方向が一定に保たれない。このため、燃料容器内の発電用燃料が燃料供給口に送出されない場合があり、発電用燃料を電源システムに安定して供給することが困難であるという問題があった。
【００１１】
本発明は、上述した従来の事情に鑑みて為されたものであり、燃料容器の方向によらずに燃料容器内に封入される発電用燃料を安定して供給することを目的とする。
【００１２】
【課題を解決するための手段】
以上の課題を解決するため、請求項１に記載の発明は、
燃料電池に用いられる発電用燃料が封入された柱状体の発電用燃料容器であって、
該発電用燃料容器の長手方向の一端部と、燃料供給口を備える他端部を有し、
前記他端部の断面積が前記一端部の断面積より大きいことを特徴としている。
【００１３】
この請求項１に記載の発明によれば、発電用燃料が封入される発電用燃料容器は、その一端部の断面の面積よりも、発電用燃料を外部に供給するための燃料供給口が設けられた他端部の断面の面積の方が大きいため、発電用燃料容器が傾けられたり横に倒されたりした場合であっても、発電用燃料を他端部側に送出することができる。
【００１４】
そして、請求項２に記載の発明は、請求項１に記載の発電用燃料容器において、
前記発電用燃料容器の前記他端部側は、前記燃料供給口に向けて傾斜した傾斜面と、前記燃料供給口が形成された底面と、を有して形成されていることを特徴としている。
【００１５】
この請求項２に記載の発明によれば、発電用燃料容器の他端部側が、当該他端部側に設けられた燃料供給口に向けて傾斜した傾斜面を有しているので、他端部側に送出された発電用燃料を燃料供給口に供給することができる。
【００１６】
また、請求項３に記載の発明は、請求項１又は２に記載の発電用燃料容器において、
前記発電用燃料容器は略角柱形状であって、
前記発電用燃料容器の長手方向の側面の内、少なくとも一つの側面は、前記一端部から前記他端部に向けて傾斜していることを特徴としている。
【００１７】
この請求項３に記載の発明によれば、発電用燃料容器は、その側面の内の少なくとも一つが、その一端部から他端部に向けて傾斜した形状に形成されている。これによれば、発電用燃料容器が、当該側面側に傾けられた場合や、当該側面が下側となるように設置された場合等において、発電用燃料を、当該側面の傾斜に沿って燃料供給口が設けられた他端部側に送出することができる。
【００１８】
そして、請求項４に記載の発明は、請求項３に記載の発電用燃料容器において、
前記燃料供給口は、前記傾斜した側面の一つと前記他端部の前記底面とが接する部分に設けられていることを特徴としている。
【００１９】
この請求項４に記載の発明によれば、傾斜した側面と、他端部側の底面とが接する部分に燃料供給口が設けられているので、発電用燃料容器が当該側面側に傾けられた場合や、当該側面が下側となるように設置された場合等において、当該側面の傾斜に沿って他端部側に送出された発電用燃料を、燃料供給口に供給することができる。
【００２０】
さらに、請求項５に記載の発明は、請求項１〜４の何れかに記載の発電用燃料容器において、
前記他端部に含浸剤を配置したことを特徴としている。
【００２１】
この請求項５に記載の発明によれば、発電用燃料容器の他端部側、即ち燃料供給口側に含浸材が配置されるので、他端部側に送出された発電用燃料を含浸材に含浸させて、毛細管現象により燃料供給口まで供給することができる。また、発電用燃料容器の他端部側に含浸材が配置されるので、発電用燃料容器に封入可能な発電用燃料の容量を、含浸材が配置される前とほぼ同量とすることができる。
【００２２】
また、請求項６に記載の発明は、発電用燃料が封入され、柱状形状であって、該発電用燃料容器の長手方向の一端部と、燃料供給口を備える他端部を有し、前記他端部の断面積が前記一端部の断面積より大きい発電用燃料容器と、該発電用燃料容器を装着する装着部と、該発電用燃料容器から供給される前記発電用燃料を用いて発電する燃料電池システムと、を備え、該燃料電池システムにより発電した電力によって駆動する携帯機器であって、
前記装着部は、前記発電用燃料容器の一端部が前記携帯機器の上方に、前記発電用燃料容器の他端部が前記携帯機器の下方になるように前記発電用燃料容器を保持することを特徴としている。
【００２３】
この請求項６に記載の発明によれば、発電用燃料容器から供給される発電用燃料を用いて発電する燃料電池システムを備える携帯機器に対して、発電用燃料容器の燃料供給口が設けられた他端部側を下にして発電用燃料容器を装着することができる。これによれば、設置状態が固定的でない携帯機器の電源を燃料電池とした場合に、当該携帯機器が傾けられたり横に倒されたりした場合であっても、発電用燃料を発電用燃料容器の他端部側に送出するとともに、当該他端部側に設けられた燃料供給口に供給することができる。従って、携帯機器の設置方向、即ち発電用燃料容器の方向によらずに、発電用燃料を燃料供給口から安定して供給することができる。
【００２４】
また、請求項７に記載の発明は、請求項６に記載の携帯機器において、
前記発電用燃料容器の前記他端部側は、前記燃料供給口に向けて傾斜した傾斜面と、前記燃料供給口が形成された底面と、を有して形成されていることを特徴としている。
【００２５】
この請求項７に記載の発明によれば、発電用燃料容器の他端部側において、燃料供給口に向けて傾斜した傾斜面を有しているので、他端部側に送出された発電用燃料を燃料供給口に容易に供給することができる。
【００２６】
また、請求項８に記載の発明は、請求項６又は７に記載の携帯機器において、前記発電用燃料容器は略角柱形状であって、前記発電用燃料容器の長手方向の側面の内、少なくとも一つの側面は、前記一端部から前記他端部に向けて傾斜していることを特徴としている。
【００２７】
この請求項８に記載の発明によれば、発電用燃料容器は、その側面の内の少なくとも一つが、その一端部から他端部に向けて傾斜した形状に形成されているため、発電用燃料容器が、当該側面側に傾けられた場合や、当該側面が下側となるように設置された場合等においても、当該側面の傾斜に沿って発電用燃料を他端部側に容易に送出することができる。
【００２８】
【発明の実施の形態】
以下、図１〜図５を参照して、本発明を適用した発電用燃料容器の実施の形態について詳細に説明する。尚、以下においては、携帯情報端末等の携帯機器に燃料電池を用いた電源システムを搭載した場合を例にとって説明する。
【００２９】
図１は、本実施の形態における携帯機器ＤＶＣの機能構成例を示す図である。同図に示すように、携帯機器ＤＶＣは、ＣＰＵ（Ｃｅｎｔｒａｌ　Ｐｒｏｃｅｓｓｉｎｇ　Ｕｎｉｔ　）１０、ＲＯＭ（Ｒｅａｄ　Ｏｎｌｙ　Ｍｅｍｏｒｙ）２０、ＲＡＭ（Ｒａｎｄｏｍ　Ａｃｃｅｓｓ　Ｍｅｍｏｒｙ）３０、タッチパネル５０、ＬＣＤ（Ｌｉｑｕｉｄ　Ｃｒｙｓｔａｌ　Ｄｉｓｐｌａｙ）６０、ＬＣＤドライバ７０、電源システム８０の各機能部を備えて構成される。なお、これらの構成は携帯情報端末等の携帯機器の代表的な構成を示したに過ぎず、他の構成を有するものであってもよいことはいうまでもない。
【００３０】
ＣＰＵ１０は、携帯機器ＤＶＣを構成する各機能部への指示やデータの転送等を行う。即ち、ＣＰＵ１０は、例えば、タッチパネル５０を介して入力される操作指示等に応じて、ＲＯＭ２０内に格納された処理プログラムを読み出してＲＡＭ３０内に展開し、当該処理プログラムに基づいた処理を実行する。そして、処理結果をＲＡＭ４０に格納するとともに、当該処理結果を表示するための表示信号を適宜ＬＣＤドライバ７０に出力する。
【００３１】
ＲＯＭ２０には、各種初期設定、ハードウェアの検査、或いは必要なプログラムのロード等を行うための初期プログラムが格納される。ＣＰＵ１０は、携帯機器ＤＶＣの電源投入時においてこの初期プログラムを実行することにより動作環境を設定する。また、ＲＯＭ２０には、携帯機器ＤＶＣの動作に係る各種処理プログラムや、携帯機器ＤＶＣの備える種々の機能を実現するためのプログラムやデータ等が格納される。
【００３２】
ＲＡＭ３０は、ＣＰＵ１０が実行する各種プログラムや、これらプログラムの実行に係るデータ等を一時的に保持するためのメモリ領域を備える。
【００３３】
タッチパネル５０は、例えば、ＬＣＤ６０と一体的に設けられた入力装置であり、手指や専用のタッチペン等で指示されたＬＣＤ６０上の位置座標を検出してＣＰＵ１０に出力する。ＣＰＵ１０は、タッチパネル５０から入力された位置座標等に基づいて、該当する処理を実行する。このタッチパネル５０を使用したＬＣＤ６０上のエリア選択により各種操作指示手段を実現することができる。
【００３４】
ＬＣＤドライバ７０は、ＣＰＵ１０から入力される表示信号に基づいてＬＣＤ６０を駆動制御し、当該表示信号に対応した表示情報をＬＣＤ６０に表示させる。
【００３５】
電源システム８０には、発電用燃料ＦＬが封入された燃料容器９０（発電量燃料容器）が装着自在に結合される。電源システム８０は、燃料容器９０から供給される発電用燃料ＦＬを用いて、電気化学反応や燃料反応等により、電源システム８０の供給電源で動作する携帯機器ＤＶＣに駆動電源（電圧／電流）となる所定の電気エネルギーを発生（発電）させる。
【００３６】
燃料容器９０には、その組成に水素を含有する液体燃料、或いは液化燃料からなる発電用燃料ＦＬが封入される。燃料容器９０内に封入される発電用燃料ＦＬとしては、メタノールやエタノール、ブタノール等のアルコール系の液体燃料や、常温、常圧下で気体であるジメチルエーテルやイソブタン、天然ガス等の炭化水素からなる液化燃料を適用することができる。
【００３７】
本発明は、この燃料容器９０の形状に関するものであり、以下、本発明を適用した燃料容器９０の実施の形態について説明する。
【００３８】
〔第１の実施の形態〕
先ず、第１の実施の形態について説明する。図２は、第１の実施の形態における燃料容器９０ａ（発電量燃料容器）の上面図（ａ）、Ｂ−Ｂ断面図（ｂ）である。同図に示すように、燃料容器９０ａは柱状形状を成す略直方体形状である。例えば、同図（ｂ）の左側の面を燃料容器９０ａの正面Ａ、右側の面を背面Ｃ、同図上の下面を底部とし、後述する燃料供給口９２ａが設けられた底部の最下面を底面Ｄとした場合、燃料容器９０ａの背面Ｃが、その上端から下端側に向けて末広に傾斜して形成されている。また、燃料容器９０ａの背面Ｃと底面Ｄとが接する辺の中央部分に燃料容器９０ａ内に封入される発電用燃料ＦＬを電源システム８０に供給するための燃料供給口９２ａが設けられている。この燃料供給口９２ａは、例えば、電源システム８０に発電用燃料ＦＬを供給するための吸引ポンプ（図示略）と接続されている。また、燃料容器９０ａの底部には、燃料供給口９２ａに向けて下向きに傾斜した傾斜面Ｅが形成されている。
【００３９】
図３は、携帯機器ＤＶＣの上面図（ａ）、正面図（ｂ）、側面図（ｃ）である。同図に示すように、燃料容器９０ａは、燃料容器９０ａの長手方向と携帯機器ＤＶＣの上下方向とが平行になるように、且つ燃料供給口９２ａが携帯機器ＤＶＣの底面側に配置されるように、携帯機器ＤＶＣ内に装着される。
【００４０】
この携帯機器ＤＶＣは、通常、図３（ｃ）に示すように携帯機器ＤＶＣの底面側を下側にして垂直に、若しくはある程度傾斜して設置した状態（縦設置状態）、或いは携帯機器ＤＶＣを水平に倒した状態（横設置状態）で使用される。携帯機器ＤＶＣの設置状態が縦設置状態の場合、図３（ｃ）に示すように、携帯機器ＤＶＣに装着された燃料容器９０ａの底部が燃料供給口９２ａに向けて下向きに傾斜した傾斜面Ｅを有しているので、例えば、燃料容器９０ａ内の発電用燃料ＦＬの残量が少ない場合であっても、燃料容器９０ａ内に発電用燃料ＦＬを残溜させることなく燃料供給口９２ａに送出して供給することができる。
【００４１】
図４は、携帯機器ＤＶＣの横設置状態を示している。同図に示すように、携帯機器ＤＶＣの設置状態が横設置状態の場合に、携帯機器ＤＶＣに装着される燃料容器９０ａの背面Ｃが燃料供給口９２ａに向けて下向きに傾斜しているので、縦設置状態の場合と同様に、燃料容器９０ａ内に発電用燃料ＦＬを残溜させることなく燃料供給口９２ａに送出して供給することができる。
【００４２】
即ち、携帯機器ＤＶＣの設置状態が、縦設置状態、横設置状態のいずれの設置状態であっても、当該設置状態において燃料容器９０ａの下側となる面が燃料供給口９２ａに向けて下向きに傾斜するので、特に、燃料容器９０ａ内の発電用燃料ＦＬの残量が少量の場合等であっても、燃料容器９０ａ内に発電用燃料ＦＬを残溜させることなく燃料供給口９２ａに送出して供給することができる。従って、燃料容器９０ａ内の発電用燃料を使い切ることができ、発電用燃料を無駄にすることを無くすことが可能となる。
【００４３】
尚、燃料容器９０ａの背面Ｃが、その上端から下端側に向けて傾斜して形成されている場合について説明したが、背面Ｃだけでなく、正面Ａや、両側面をその上端から下端側に向けて傾斜して形成させることとしてもよい。また、第２の実施の形態のように、燃料供給口９２ａの周辺部分に含浸材を配置することとしてもよい。
【００４４】
〔第２の実施の形態〕
次に、第２の実施の形態について説明する。図５は、第２の実施の形態における燃料容器の上面図（ａ）、Ｆ−Ｆ断面図（ｂ）である。同図に示すように、燃料容器９０ｂ（発電用燃料容器）は略円柱形状であり、底面の中央部には、燃料容器９０ｂ内に封入される発電用燃料ＦＬを電源システム８０に供給するための燃料供給口９２ｂが設けられている。この燃料供給口９２ｂは、例えば、電源システム８０に発電用燃料ＦＬを供給するための吸引ポンプ（図示略）と接続されている。また、燃料容器９０ｂは、その中心軸と携帯機器の長手方向とが平行になるように、且つ燃料供給口９２ｂが携帯機器ＤＶＣの底面側に配置されるように、携帯機器ＤＶＣに装着される。
【００４５】
また、同図（ｂ）に示すように、燃料容器９０ｂは、周面の面積（換言すると、同図（ｂ）に向けて垂直横向きに切断した切断面（円）の面積）が、上端側から下端側に向けて大きくなるように形成されている。さらに、燃料容器９０ｂの底面に設けられた燃料供給口９２ｂに近接している部分には、含浸材９４ｂが充填されている。この含浸材９４ｂには、例えば、ウレタンフォーム等が使用される。また、本実施の形態においては、燃料容器９０ｂの底部が、底面中央に設けられた燃料供給口９２ｂに向けて傾斜して、漏斗状に形成されている。
【００４６】
即ち、発電用燃料ＦＬが封入される燃料容器９０ｂの形状は、図３及び図４の燃料容器９０ａに代えて携帯機器ＤＶＣに装着された際に、当該携帯機器ＤＶＣの長手方向を垂直に設置した状態で上側となる周面の面積が、発電用燃料ＦＬを電源システム８０に供給するための燃料供給口９２ｂの設けられた下側の周面の面積より小さくなるように形成されている。このため、携帯機器ＤＶＣが傾けられて設置された状態、或いは水平に倒された状態であっても、当該携帯機器ＤＶＣの設置状態において燃料容器９０ｂの下側となる面が、燃料供給口９２ｂが設けられた面に向けて下向きに傾斜する。従って、発電用燃料ＦＬを燃料供給口９２ｂに送出することができる。
【００４７】
さらに、燃料容器９０ｂの燃料供給口９２ｂに近接した領域に含浸材９４ｂが配置されているので、燃料容器９０ｂの底面側に送出された発電用燃料ＦＬを含浸材９４ｂに含浸させ、毛細管現象により燃料供給口９２ｂまで供給することができる。これによれば、燃料容器９０ｂ内の発電用燃料ＦＬを、残量が少ない場合であっても、燃料容器９０ｂ内に残溜させることなく燃料供給口９２ｂにくまなく送出して供給することができる。また、燃料容器９０ｂが一時的に上下が逆さになった逆向きの状態となった場合であっても、含浸材９４ｂに含浸された発電用燃料ＦＬを燃料供給口に供給することができる。
【００４８】
また、この含浸材９４ｂは、燃料容器９０ｂの底面に設けられた燃料供給口９２ｂに近接した燃料供給口９２ｂの周辺領域に配置されれば十分である。このため、燃料容器９０ｂに封入可能な発電用燃料ＦＬの容量を、含浸材９４ｂが配置される前とほぼ同量とすることができる。
【００４９】
尚、燃料容器９０ｂの形状は、上述した略円柱形状に限らず、角柱形状であってもよい。
【００５０】
【発明の効果】
本発明によれば、発電用燃料が封入される燃料容器が傾けられたり横に倒されたりした場合であっても、発電用燃料を他端部側に送出し、燃料供給口に供給することができる。
【図面の簡単な説明】
【図１】本発明を適用した燃料容器を備える携帯機器の機能構成例を示す図である。
【図２】第１の実施の形態における燃料容器の一例を示す図である。
【図３】図２の燃料容器の適用形態の一例を示す図である。
【図４】携帯機器の横設置状態を示す図である。
【図５】第２の実施の形態における燃料容器の一例を示す図である。
【符号の説明】
ＤＶＣ　　　　　　携帯機器
８０　　　　　　　電源システム
９０ａ，９０ｂ　　燃料容器
９２ａ，９２ｂ　　燃料供給口
９４ｂ　　　　　　含浸材
【図１】
2004095190.tif 000003
【図２】
2004095190.tif 000004
【図３】
2004095190.tif 000005
【図４】
2004095190.tif 000006
【図５】
2004095190.tif 000007